(57)【要約】【課題】上面部に配置される各種機能部のレイアウト変更が可能なセンターコンソール構造を提供する。【解決手段】収納部や操作部などの機能部を機能毎に、夫々、独立した個別の機能モジュール１４〜１８に設け、それらをセンターコンソール１０の上面部に設置する。その際、それら機能モジュール１４〜１８を収納設置するための収納凹部１２をセンターコンソール１０の上面部に設け、各機能モジュール１４〜１８の平面視形状を正方形又はそれを横並びにした長方形とし、大きな方形の平面視形状を有する収納凹部１２内における位置を選択して収納する。シフトバイワイヤのシフトスイッチ２６を搭載するシフトスイッチモジュール１４は、移動経路に沿って収納凹部１２内で移動できるが、取り外し規制構造によって収納凹部１２から取り外せないようにした。【選択図】図１
2018034589.tif 000002
【特許請求の範囲】
【請求項１】
車室内の車両幅方向中央部に設けられ、上面部に各種の機能部が配置されるセンターコンソール構造において、
前記機能部は、機能毎に、夫々独立した個別の機能モジュールに形成され、
センターコンソールの上面部には、前記機能毎の複数の機能モジュールの夫々の位置を選択して設置可能な複数のモジュール設置部を有する機能モジュール設置構造が設けられたことを特徴とするセンターコンソール構造。
【請求項２】
前記機能モジュール設置構造として、前記センターコンソールの上面部には、前記複数のモジュール設置部を有する枠部が設けられ、
前記複数の機能モジュールは、前記枠部内に複数嵌め込み設置可能な平面視形状に形成されたことを特徴とする請求項１に記載のセンターコンソール構造。
【請求項３】
前記各機能モジュールの平面視形状は、予め設定された規定形状及び当該規定形状を平面視野で連結した複合形状の何れか一方に形成され、
前記枠部の内側の平面視形状は、前記規定形状又は前記複合形状を平面視野で連結した形状に形成されたことを特徴とする請求項２に記載のセンターコンソール構造。
【請求項４】
前記規定形状は方形であることを特徴とする請求項３に記載のセンターコンソール構造。
【請求項５】
前記機能モジュールには、シフトバイワイヤにおけるシフトスイッチを形成したシフトスイッチモジュールが含まれ、
該シフトスイッチモジュールには、前記枠部からの取り外しを規制する取り外し規制構造が設けられたことを特徴とする請求項２乃至４の何れか１項に記載のセンターコンソール構造。
【発明の詳細な説明】
【技術分野】
【０００１】
本発明は、センターコンソール構造、特に、車室内の車両幅方向中央部に設けられるセンターコンソール構造に関する。
【背景技術】
【０００２】
センターコンソールは、一般に、前左右席間にテーブル状に設けられている。このセンターコンソールの上面部には、例えばカップホルダーやリッド（蓋）付き収納部などが配置される。また、例えば、下記特許文献１には、センターコンソールの上面部に種々のコントロールスイッチを配置する構造が開示されている。また、下記特許文献２には、センターコンソールの上面部にモーメンタリ型のシフトスイッチを配置する構造が開示されている。このシフトスイッチは、所謂シフトバイワイヤの変速入力部であり、変速機の変速動作を指定又は指令するためのものである。なお、近年では、ダッシュボードの車両幅方向中央部を車両後方に延長し、その延長された部分をセンターコンソールとして上面に操作部を配置することもある。
【先行技術文献】
【特許文献】
【０００３】
【特許文献１】特開２０１５−１８９４１３号公報
【特許文献２】特開２０１１−４２３５４号公報
【発明の概要】
【発明が解決しようとする課題】
【０００４】
例えば、カップホルダーやリッド付き収納部、コントロールスイッチやシフトスイッチといった操作部を各種の機能部としてセンターコンソールの上面部に配置する場合、それら機能部の好適なレイアウトは運転者や同乗者によって異なる。多くの場合、それら機能部のレイアウトは、より多くの運転者等にとって使い勝手のよい配置とされるが、一方で、使い勝手がよくないと感じる運転者等も存在する。しかしながら、このセンターコンソール上面部の機能部のレイアウトは一般に変更できない。
【０００５】
本発明は、上記課題に鑑みてなされたものであり、その目的は、上面部に配置される各種機能部のレイアウト変更が可能なセンターコンソール構造を提供することにある。
【課題を解決するための手段】
【０００６】
上記目的を達成するため請求項１に記載の発明は、車室内の車両幅方向中央部に設けられ、上面部に各種の機能部が配置されるセンターコンソール構造において、前記機能部は、機能毎に、夫々独立した個別の機能モジュールとして形成され、センターコンソールの上面部には、前記機能毎の複数の機能モジュールの夫々の位置を選択して設置するためのモジュール設置部を有する機能モジュール設置構造が設けられたことを特徴とする。
【０００７】
この構成によれば、収納部や操作部といった各種の機能部が機能毎に夫々独立した構成とされ、機能モジュール設置構造におけるモジュール設置部に夫々位置を選択して設置することができる。従って、利用者の所望の位置に各種機能モジュールを選択して設置することが可能であり、さらに事後的に移動して設置することも可能となる。従って、センターコンソール上面部における機能部の任意のレイアウトにおける使い勝手の良さの向上を図ることができる。
【０００８】
請求項２に記載の発明は、請求項１に記載のセンターコンソール構造において、前記機能モジュール設置構造として、前記センターコンソールの上面部には、前記複数のモジュール設置部を有する枠部が設けられ、前記複数の機能モジュールは、前記枠部内に複数嵌め込み設置可能な平面視形状に形成されたことを特徴とする。
【０００９】
この構成によれば、複数の機能モジュールをセンターコンソール上面部の枠部内に夫々嵌め込み設置することで取付けることができ、取付作業の容易化と取付位置の変更の容易化も図られ、センターコンソール上面部の機能部のレイアウトの設置変更が容易なものとなる。
【００１０】
請求項３に記載の発明は、請求項２に記載のセンターコンソール構造において、前記機能モジュールの平面視形状は、予め設定された規定形状及び当該規定形状を平面視野で連結した複合形状の何れか一方に形成され、前記枠部の内側の平面視形状は、前記規定形状又は前記複合形状を平面視野で連結した形状に形成されたことを特徴とする。
【００１１】
この構成によれば、機能モジュールは規定形状又は複合形状を平面視形状として有し、枠部の内側は規定形状又は複合形状を平面視野で連結した平面視形状を有しているので、それら機能モジュールを枠部内で入れ替えるようにして移動することができる。これにより、センターコンソール上面部の機能部のレイアウトを容易に変更することができると共に、機能モジュール間に隙間ができない。
【００１２】
請求項４に記載の発明は、請求項３に記載のセンターコンソール構造において、前記規定形状は方形であることを特徴とする。
【００１３】
この構成によれば、大きな方形の枠部内に方形の機能モジュールを収納してセンターコンソール構造が構築され、その枠部内での機能モジュールの移動は、それが方形であることから横移動を円滑なものとすることができ、機能モジュールの入れ替えなどの作業がより簡単なものとなる。
【００１４】
請求項５に記載の発明は、請求項２乃至４の何れか一項に記載のセンターコンソール構造において、前記機能モジュールには、シフトバイワイヤにおけるシフトスイッチを形成したシフトスイッチモジュールが含まれ、該シフトスイッチモジュールには、前記枠部からの取り外しを規制する取り外し規制構造が設けられたことを特徴とする。
【００１５】
この構成によれば、シフトスイッチが設けられた機能モジュールも枠部内で移動することにより、シフトスイッチを含めたセンターコンソール上面部の機能部のレイアウトを容易に変更することができると共に、取り外し規制構造により、保安部品であるシフトスイッチがセンターコンソール上面部から不用意に取り外されるのを防止することができる。しかしながら、車両の購入の際には、本発明の作用により、購入者の希望に合わせたシフトスイッチの位置設定を行うことが可能であり、また、事後的な位置変更も可能である。
【発明の効果】
【００１６】
以上説明したように、本発明によれば、収納部や操作部などの機能部が機能毎に独立した個別の機能モジュールに設置され、且つ、位置の設定を選択的に行うことが可能であることから、機能モジュールを所望の配置としたり、また、移動設置したりすることができる。これにより、センターコンソール上面部の機能部のレイアウトの自由度が増し、車両利用者の使い勝手の向上を達成することが可能となる。
【図面の簡単な説明】
【００１７】
【図１】本発明のセンターコンソール構造が適用されたセンターコンソールの一実施形態を示す斜視図である。
【図２】図１のセンターコンソール構造におけるシフトスイッチモジュールの移動経路の平面図である。
【図３】図１のセンターコンソール構造における機能モジュールの係止構造の断面図である。
【図４】図１のセンターコンソール構造における機能部レイアウトの説明図である。
【発明を実施するための形態】
【００１８】
以下、本発明の実施の形態について図面に基づいて詳細に説明する。図１は、この実施形態のセンターコンソール構造が適用されたセンターコンソール１０の斜視図である。この実施形態のセンターコンソール１０は、例えばツーリングワゴンなどの乗用車両の車室の車両幅方向中央部に設けられている。具体的に、このセンターコンソール１０は、図示を省略している前左右席の間にテーブル状に設けられている。
【００１９】
このセンターコンソール１０の上面部には、後述する飲料容器の収納やシフトスイッチの操作などの機能を備えた機能モジュール１４〜１８を設置するための機能モジュール設置構造の枠部として、それら機能モジュール１４〜１８を収納するための収納凹部１２が形成されている。この収納凹部１２は、平面視で、例えば車両前後方向に長い長方形状に形成されている。この実施形態の収納凹部１２の平面視形状は、車両前後に位置する短辺と車両左右に位置する長辺との比が１：２となる長方形である。
【００２０】
従って、この収納凹部１２の平面視形状である長方形の短辺の半分を一辺とする平面視形状の正方形であれば、この収納凹部１２内に計８個収まる。以下、本実施の形態では、この平面視形状の正方形を、予め設定された規定形状として用いた例を説明する。また、この規定形状を平面視野で横並び方向に２個連結した形状、つまり長方形を、この実施の形態の複合形状として説明する。
【００２１】
この収納凹部１２内には、例えば収納部や操作部などの機能部をモジュール化した機能モジュール１４〜１８が収納されている。前述した収納凹部１２内における計８個の規定形状の配列について、車両幅方向の並びを行、車両前後方向の並びを列とした場合、収納凹部１２内の規定形状の行列は４行２列となる。この収納凹部１２内の規定形状の行列のうち、図１の車両左右列の車両最前行にはカップホルダーモジュール１５が２個収納されている。また、車両左列の２行目と３行目には、リッド（蓋）付き収納モジュール１６が１個、車両前後方向に長手に収納されている。また、車両右列の２行目には、シートヒータリモコンモジュール１７が１個収納されている。また、車両右列の３行目にはシフトスイッチモジュール１４が１個収納されている。また、車両左右列の車両最後行には、空調リモコンモジュール１８が１個、車両幅方向に長手に収納されている。
【００２２】
カップホルダーモジュール１５は、ドリンクカップやドリンクボトルなどを収納する断面円形の凹部２０が機能部として形成されている。また、リッド付き収納モジュール１６は、例えばプッシュオープン型のリッド２２の下方に、物を収納する図示しない収納部が形成されている。この場合、リッド２２と収納部が機能部である。また、シートヒータリモコンモジュール１７は、加温したいシート（座席）のプッシュスイッチ２４が機能部として上面に配置されており、図示しないシートヒータ装置に向けて無線信号を出力する。  
【００２３】
また、シフトスイッチモジュール１４は、シフトバイワイヤにおける変速機の変速動作、例えば変速レンジを指定したり変速段を指令したりするための例えばロータリ型のシフトスイッチ２６が機能部として上面部に配置されており、後述するフレキシブルワイヤハーネス３２で図示しない変速コントロールユニットに接続されている。また、空調リモコンモジュール１８は、所望する空調状態を入力するスイッチ２８及びモニタ３０が機能部として上面部に配置されており、図示しない空調装置に向けて無線信号を出力する。
【００２４】
カップホルダーモジュール１５、シートヒータリモコンモジュール１７、シフトスイッチモジュール１４は、夫々、平面視形状として、前述した規定形状を有する。また、リッド付き収納モジュール１６、空調リモコンモジュール１８は、夫々、平面視形状として、前述した複合形状を有する。前述したように、複合形状は規定形状を横並びにした大きさであり、収納凹部１２の平面視形状は、規定形状を４行２列連結した形状であるから、各機能モジュール１４〜１８を取り外すか、又は取り外さなくても収納凹部１２内で移動することができれば、機能モジュール１４〜１８、つまりセンターコンソール上面部における機能部のレイアウトを変更することができる。
【００２５】
これらの機能モジュール１４〜１８のうち、シフトスイッチモジュール１４だけは取り外しが規制されている。図２は、図１のセンターコンソール構造におけるシフトスイッチモジュール１４の移動経路を示す平面図、図３は、図１のセンターコンソール構造における各機能モジュール１４〜１８の係止構造の断面図である。この実施の形態では、シフトスイッチモジュール１４を収納凹部１２から取り外すことなく、収納凹部１２内で移動するために、シフトスイッチモジュール１４の移動経路が予め設けられている。図１のセンターコンソール構造では、平面視形状が規定形状のシフトスイッチモジュール１４を４行２列の収納位置のどの位置にも移動できることが望ましい。そのため、シフトスイッチモジュール１４の下面中央部からは下方に向けて方形断面のガイド突子３６が突設されている。
【００２６】
一方、収納凹部１２を構成している凹部部材４６は例えば二重底構造になっており、その上側底板部４８には、シフトスイッチモジュール１４のガイド突子３６が挿入されるガイド溝３４が形成されている。このガイド溝３４は、図２に二点鎖線で示すように、平面視形状が長方形の収納凹部１２内に、平面視形状が規定形状の仮想機能モジュールを８個収納したとき、夫々の仮想機能モジュールの下面中央部が対向する位置を通過するように、凹部部材４６の上側底板部４８に「目」の字状に縦横に形成されている。そして、シフトスイッチモジュール１４のガイド突子３６先端部には、そのガイド突子３６が収納凹部１２のガイド溝３４に挿入された状態で、ガイド突子３６のガイド溝３４からの抜けを防止する抜け止め板部材３８が取付けられている。なお、凹部部材４６の下側底板部にも、ガイド溝３４と同様のハーネス通過穴３５が形成されている。
【００２７】
そのため、後述する係止爪４０を凹部部材４６の上側底板部４８から抜いた状態で、シフトスイッチモジュール１４はガイド溝３４に沿って移動することができるが、ガイド突子３６の先端部には抜け止め板部材３８が取付けられているので、シフトスイッチモジュール１４を収納凹部１２から取り外すことはできない。即ち、ガイド溝３４が移動経路を構成し、凹部部材４６の上側底板部４８及び抜け止め板部材３８がシフトスイッチモジュール１４の取り外し規制構造を構成する。
【００２８】
このように、シフトスイッチモジュール４に取り外し規制構造を設けたのは、シフトスイッチ２６が車両の保安部品であるためである。周知のように、車両の、走る・曲がる・止まる機能に直結するシフト装置は車両の保安部品であり、その操作入力部であるシフトスイッチ２６も車両の保安部品である。車両の保安部品は、容易に取り外しできる構造としてはならないから、取り外し規制構造によってシフトスイッチモジュール１４が誤って取り外されるのを防止することができる。
【００２９】
なお、ガイド溝３４に挿入されているガイド突子３６は、方形断面を有するので、ガイド溝３４内におけるガイド突子３６、即ちシフトスイッチモジュール１４の回り止め構造を兼ねている。また、前述したように、シフトスイッチモジュール１４からはフレキシブルワイヤハーネス３２、つまり可撓電線束が延出されており、その図示しない先端部は図示しない変速コントロールユニットに連結されている。そのため、シフトスイッチモジュール１４の移動を妨げることがなく、また外部接点を用いる電気的接続方法とは異なり、接触不良や接続不良などの問題もない。
【００３０】
また、この実施の形態では、各機能モジュール１４〜１８を収納凹部１２内に安定して設置するために、各機能モジュール１４〜１８を収納凹部１２に係止するための係止構造が設けられている。この係止構造は、各機能モジュール１４〜１８の下面から突出された係止爪４０と、収納凹部１２の凹部部材４６の上側底板部４８に設けられた係止溝４２で構成される。係止爪４０は、図３の紙面垂直方向に長手な板部材で、下方先端部に爪部４４が外向きに形成されている。係止溝４２は、爪部４４を含めて係止爪４０が挿通可能な長穴である。係止溝４２は、例えば図２に示すように、収納凹部１２内に８個収納された上記正方形規定形状の仮想機能モジュールの四隅に相当する位置に形成されており、係止爪４０は、各機能モジュール１４〜１８の下面の四隅において、夫々、係止溝４２に対向する位置に形成されている。
【００３１】
そのため、各機能モジュール１４〜１８の係止爪４０を凹部部材４６の係止溝４２に合わせるようにして各機能モジュール１４〜１８を収納凹部１２内に押し込むと、係止爪４０が係止溝４２に挿入され、図３に示すように、爪部４４が上側底板部４８に引っ掛かって係止爪４０と係止溝４２が係止する。一方、係止爪４０が係止溝４２と係止している状態で、各機能モジュール１４〜１８を上方に引き上げると、係止爪４０が弾性変形することで爪部４４が上側底板部４８から外れ、係止爪４０を係止溝４２から抜くことができる。シフトスイッチモジュール１４を除く各機能モジュール１５〜１８は、これにより収納凹部１２から取り外すことができる。一方、シフトスイッチモジュール１４は、前述した取り外し規制構造によって取り外すことはできないが、ガイド溝３４とガイド突子３６により、予め設定された移動経路に沿って移動することができる。
【００３２】
なお、機能モジュール１４〜１８を収納凹部１２に係止するための係止構造は、これに限定されるものではない。例えば、同様に係止爪４０と係止溝４２を係止する構造であっても、例えば機能モジュール１４〜１８の上面部に設けられた操作子を操作すると、係止爪４０と係止溝４２の係止が解除され、係止爪４０を抜くことができるような構造などが挙げられる。また、例えば収納凹部１２に規定数の機能モジュール１４〜１８を収納すると、それら機能モジュール１４〜１８が緊密に接触し且つ収納凹部１２内に緊密に嵌入するような場合には、機能モジュール１４〜１８と収納凹部１２の係止構造を必要としない場合もある。
【００３３】
図４（Ａ）〜（Ｃ）は、この実施形態におけるセンターコンソール上面部の機能部、即ち機能モジュール１４〜１８のレイアウトを種々に変更した平面図である。この実施形態では、シフトスイッチモジュール１４を収納凹部１２内で自由に移動できると共に、そのほかの機能モジュール１５〜１８を自在に入れ替えることができるので、図に示すように、あらゆるパターンのレイアウトが可能となる。
【００３４】
このように、この実施の形態のセンターコンソール構造では、車室内の車両幅方向中央部に設けられ、上面部に各種の機能部が配置されるセンターコンソール構造において、収納部や操作部などの機能部が機能毎に分割して設けられた個別の機能モジュール１４〜１８の位置をセンターコンソール１０の上面部に選択的に設置することができるので、機能モジュール１４〜１８の配置を変更したり、それらの位置を移動して設置したりすることでセンターコンソール上面部の各種の機能部を移動させることができ、センターコンソール上面部の機能部のレイアウトを変更することができる。
【００３５】
また、複数の機能モジュール１４〜１８を収納するための収納凹部（枠部）１２をセンターコンソール１０の上面部に設け、複数の機能モジュール１４〜１８を予め設定された平面視形状として収納凹部１２内に収納する構成としたため、複数の機能モジュール１４〜１８をセンターコンソール上面部の収納部１２内で移動して隙間なく収納するだけで、センターコンソール上面部の機能部のレイアウトを容易に変更することができる。
【００３６】
また、機能モジュール１４〜１８は規定形状又は複合形状を平面視形状として有し、収納凹部１２の内側は規定形状又は複合形状を平面視野で連結した平面視形状を有しているので、それら機能モジュール１４〜１８を収納凹部１２内で入れ替えるようにして移動することができ、これによりセンターコンソール上面部の機能部のレイアウトを容易に変更することができると共に、機能モジュール１４〜１８間に隙間ができない。
【００３７】
また、規定形状を方形とし、収納凹部１２の内側の平面視形状を、方形の規定形状を平面視野で複数連結してなる方形としたため、大きな方形の収納凹部１２内に方形の機能モジュール１４〜１８を収納してセンターコンソール構造が構築され、その収納凹部１２内で方形の機能モジュール１４〜１８を入れ替えるように移動することで、センターコンソール上面部の機能部のレイアウトを容易に変更することができると共に、構成を簡易にすることができる。
【００３８】
また、機能部として、シフトバイワイヤにおけるシフトスイッチ２６が設けられ、そのシフトスイッチ２６が設けられたシフトスイッチモジュール１４には、収納凹部１２からの取り外しを規制する取り外し規制構造を設けた。これにより、シフトスイッチモジュール１４も収納凹部１２内で移動することにより、シフトスイッチ２６を含めたセンターコンソール上面部の機能部のレイアウトを容易に変更することができると共に、保安部品であるシフトスイッチ２６がセンターコンソール上面部から取り外されるのを防止することができる。
【００３９】
なお、上記実施の形態では、規定形状を正方形とし、複合形状を、正方形が横並びに連結された長方形としたが、本発明の機能モジュールの平面視形状を規定する規定形状及び複合形状は、これに限定されるものではない。例えば、複合形状が正方形で、規定形状は、その半分の長方形であってもよい。また、規定形状が正三角形で、複合形状は、それを２つ合わせたひし形であってもよい。
【００４０】
即ち、機能モジュール設置構造の枠部として例えば収納凹部１２を形成し、その収納凹部１２内で各機能モジュール１４〜１８を移動する際、それらの機能モジュール１４〜１８を自在に入れ替えるためには、それらの機能モジュール１４〜１８の平面視形状が予め設定された規定形状、即ち決まった形か、若しくは、その規定形状を平面視野で連結した形状、即ち、複合形状とするのが好適である。また、収納凹部１２内に隙間なく機能モジュール１４〜１８を収納するためには、収納凹部１２、つまり枠部の内側の平面視形状は、規定形状又は複合形状を平面視野で連結した形状とするとよい。
【００４１】
なお、本発明は、上記各構成に限定されるものではなく、発明の要旨の範囲内で種々の変形が可能である。
【００４２】
例えば、上記実施の形態では、機能モジュール設置構造の主体を枠部として、各種の機能モジュールをそこに隙間なく設置する構成を示したが、この構成に限られず、枠部を設けることなく、各機能モジュールを夫々個別に固定設置できるような取付部を設けることも可能である。また、枠部を設けて嵌め込む場合でも、必ずしも隙間なく設置するための規定形状を設定する必要はなく、夫々、個別に設置された機能モジュール間に隙間が生じていても問題はない。
【００４３】
また、規定形状を定めることなく、種々の平面形状の機能モジュールを機能モジュール設置構造に対して設置することも可能である。
【００４４】
また、機能モジュールは上記に限定されるものではなく、センターコンソール又はその近傍に配置して有用な機能部であれば、あらゆる機能部が設けられた機能モジュールを適用することができる。また、不要と思われる機能モジュールを、平面視形状が同じ他の機能モジュールと交換することも可能である。
【００４５】
また、上記実施形態では、前左右席の間にテーブル状に設けられたセンターコンソール１０についてのみ説明したが、本発明のセンターコンソール構造は、例えばダッシュパネルの車両幅方向中央部を車両後方に延長してなるセンターコンソールにも同様に適用可能である。
【符号の説明】
【００４６】
１０  センターコンソール
１２  収納凹部（枠部）
１４  シフトスイッチモジュール（機能モジュール）
１５  カップホルダーモジュール（機能モジュール）
１６  リッド付き収納モジュール（機能モジュール）
１７  シートヒータリモコンモジュール（機能モジュール）
１８  空調リモコンモジュール（機能モジュール）
２０  凹部（機能部）
２２  リッド（機能部）
２４  プッシュスイッチ（機能部）
２６  シフトスイッチ（機能部）
２８  スイッチ（機能部）
３０  モニタ（機能部）
３４  ガイド溝（移動経路）
３８  抜け止め板部材（取り外し規制構造）
４８  上側底板部（取り外し規制構造）
【図１】
2018034589.tif 000003
【図２】
2018034589.tif 000004
【図３】
2018034589.tif 000005
【図４】
2018034589.tif 000006